(57)【要約】【課題】  異なる外径の長尺体のいずれをも揺動することなく保持することができる長尺体保持具を提供する。【解決手段】  略平板状に形成された基板と、該基板と一体に形成されたロック部と保持帯を形成し、該保持帯には１箇所もしくは複数箇所の薄肉に形成されたヒンジを形成し、また、該ロック部には１箇所または複数箇所の係止凸部を形成し、かつ、該保持帯とロック部の間には略平板状の受け部を形成し、該受け部はその長手方向に、ロック部側の端からヒンジ側の端に向けて下方に傾斜をつけて形成する。【選択図】図１
2010019409.tif 000002
【特許請求の範囲】
【請求項１】
電線等の長尺体を保持するための長尺体保持具であって、該長尺体保持具は、
略平板状に形成された基板と、
該基板と一体に形成されたロック部と、
該基板からヒンジを介して一体に延設して形成された保持帯を形成し、
該保持帯には１箇所または複数箇所の薄肉に形成されたヒンジを形成し、
また、該ロック部には１箇所または複数箇所の係止凸部を形成し、
かつ、該保持帯とロック部の間には略平板状の受け部を形成し、該受け部はその長手方向に、一方の端から他方の端に向けて下方に傾斜をつけて形成されていることを特徴とする長尺体保持具。
【請求項２】
請求項１に記載の長尺体保持具であって、前記受け部はその長手方向に、ロック部側の端からヒンジ側の端に向けて下方に傾斜をつけて形成されていることを特徴とする長尺体保持具。
【請求項３】
請求項１ないし請求項２に記載の長尺体保持具であって、前記保持帯に薄肉に形成したヒンジの長さを、該保持帯の長手方向へ長くとって形成されていることを特徴とする長尺体保持具。
【請求項４】
請求項１ないし請求項３に記載の長尺体保持具であって、前記受け部と前記基板の間に貫通した形状に穴を形成したことを特徴とする長尺体保持具。
【請求項５】
請求項１ないし請求項４に記載の長尺体保持具であって、前記受け部の端側を自由端になるよう形成したことを特徴とする長尺体保持具。
【発明の詳細な説明】
【技術分野】
【０００１】  本発明は、例えば電気機器や車体などに取り付けて、配線・配管材などの長尺体の部材を保持し固定するための長尺体保持具に関するものである。
【背景技術】
【０００２】  従来技術として、電線や配管材などの長尺体を電気機器や車体等の内部に取り付けるための長尺体保持具（以下、簡単に「保持具」と呼ぶ場合がある）として、下記の特許文献に記載されているものがある。
【特許文献１】実開昭５６−１２３７２７号公報
【０００３】  この種の保持具では、ロックさせた保持具の収納部の内部に配線等の長尺体を保持するのだが、長尺体を押さえつけて保持する機能が無いため、線径の小さな長尺体は保持具の内部で動いてしまう、という問題があった。これでは、電気機器等の内部で配線（長尺体）がずれたりガタついたりする原因となる上、不用意に配線が何らかの外力によって引っ張られると、配線が電源などから外れてしまう。【０００４】  上記の問題を解決するための長尺体保持具として、下記の文献に記載されているものがある。
【特許文献２】実開平３−６５０８０号公報
【特許文献３】実開昭６４−９４１３号公報
【非特許文献１】意匠登録１１６６７２０号公報
【０００５】  これらの保持具では、保持した長尺体のズレやガタつきを防止するため、例えば特許文献２ないし特許文献３の例では、長尺体の収納部に、長尺体を押さえるための樹脂バネを設けたり、該収納部を分割したりしていた。このため、保持具のサイズが大きくなってしまうという欠点があった。昨今の家電製品などは全体のサイズをコンパクト化する傾向があるため、保持具のサイズが大きいと狭い場所に取り付けられず不便である。【０００６】  また、従来品の保持具は、樹脂バネ等で配線収納部を分割した場合は、長尺体の収納部が決まっているため、いちいち収納部内の所定の場所に線を配置せねばならず、作業性が悪かった。例えば、上記の特許文献２の例では、樹脂バネ（符号１５）とリブ（受け部、符号１４）の間に長尺体を収納すると、長尺体は樹脂バネとリブ（受け部）に当接してしっかりと押圧されるが、誤って樹脂バネ（符号１５）とＣ型弾性湾曲帯（符号７）との間に長尺体を収納してしまうと、長尺体を押さえられない。これでは長尺体保持具内に保持したはずの長尺体が動いてしまう。【０００７】  さらに上記特許文献に記載の保持具は、径の異なる複数の長尺体を保持する場合、径の大きな長尺体は樹脂バネ等で押圧したまま保持できるが、径の大きな長尺体を押さえると、径の小さな長尺体には樹脂バネ等の長尺体をおさえる部分が当接しない（上記の非特許文献１の図６など）。よって、同時に径の違う長尺体を押さえることができず、長尺体保持具内で径の小さい長尺体が動いてズレたりガタついたりしてしまう。これでは径の異なる複数の長尺体をズレやガタつきなく保持するという目的を達成できない。
【発明の開示】
【発明が解決しようとする課題】
【０００８】  本発明は上記のような事情を鑑み、なされたものであって、異なる外径の長尺体のいずれをもガタつかないよう押さえて保持することができ、かつ長尺体を収納する際の作業性が良く、サイズの小さい長尺体保持具を提供することを目的とする。
【課題を解決するための手段】
【０００９】  上記の目的を達成するための手段として、本発明にかかる長尺体保持具は、電線等の長尺体を保持するための長尺体保持具であって、
略平板状に形成された基板と、
該基板と一体に形成されたロック部と、該基板からヒンジを介して一体に延設して形成された保持帯を形成し、
該保持帯には１箇所もしくは複数箇所の薄肉に形成されたヒンジを形成し、
また、該ロック部には１箇所または複数箇所の係止凸部を形成し、
かつ、該保持帯とロック部の間には略平板状の受け部を形成し、該受け部はその長手方向に、一方の端から他方の端に向けて下方に傾斜をつけて形成するが、ロック部側の端からヒンジ側の端に向けて下方に傾斜をつけて形成するのが望ましく、
さらに、該受け部と基板の間には貫通した状態で穴を形成することや、
また、該受け部の（ヒンジ８側の）端側を自由端になるよう形成することもできる。
【発明の効果】
【００１０】  請求項１の発明によれば、本発明にかかる長尺体保持具は、該長尺体保持具の保持帯に１箇所または複数箇所の薄肉に形成したヒンジを設けており、このヒンジ部分は、保持する長尺体が当接して干渉する部分からそれぞれに適宜屈曲するため、該長尺体保持具内に長尺体を保持した際には、該保持帯は当接する長尺体の外周に添う形状に屈曲し、長尺体を保持帯と受け部にて押圧しながら挟持することが可能である。
これにより、従来品のような樹脂バネを形成しなくても、線径の異なる長尺体（配線・配管）をしっかりと押さえて保持することができる。よって、本発明の長尺体保持具は、
樹脂バネを省略する分、高さ方向のサイズを比較的コンパクトに形成できる。
また、樹脂バネを形成せずとも済む分、長尺体保持具をつくるための金型がシンプルな形状で済むので、製作コストを低減させることができる。
さらに、長尺体保持具の消費者の立場から見ると、長尺体の径のサイズが変わるごとに使用する長尺体保持具を変更しなくて済むため、多種類の長尺体保持具からいちいち選び取る手間が省けて作業効率が良い。また多種類の長尺体保持具を購入せずとも本発明の長尺体保持具一種類を用意すれば良いので、購入の手間やコストも低減できる。
また、従来品のように、樹脂バネ等で長尺体の収納部を分割していないので、長尺体を挿入する順序を規制しなくても良く、いちいち収納部内の所定の場所に長尺体を配置しなくて良いので作業効率が大変に良い。【００１１】  請求項１の発明によれば、本発明にかかる長尺体保持具は、該長尺体保持具のロック部に１箇所または複数箇所の係止凸部を形成しているため、大きな径の長尺体や、複数本の長尺体を保持する場合には上部（ロック部の自由端に近い側）に形成された係止凸部に保持帯先端の係止爪を係止させ、比較的小さな径の長尺体や、長尺体を一本だけ保持したい場合には、下部（ロック部の、基板に近い側）に形成された係止凸部に保持帯先端の係止爪を係止させれば良い。保持すべき長尺体のサイズ、本数によって係止爪の係止位置を変更すれば対応できるので、長尺体保持具は本発明の品を１種類だけ使用すれば良く、さまざまな径サイズに合わせて使う長尺体保持具を変更しなくても済み、作業効率が良くなる。【００１２】  従来の長尺体保持具にも、長尺体を収納する部分にリブや受け部を設けたものは存在するが、それらのリブ（または受け部）は両端部が高く、その中央へ向けて低くなるよう傾斜がついているタイプのものであり、長尺体収納部の中央付近に長尺体が配置されるようになっていた。（例えば、特許文献２）。これに対し、請求項１ないし請求項２の発明によれば、本発明の長尺体保持具では違う形状の受け部を提案している。この、本発明にかかる長尺体保持具に形成された受け部はその長手方向に、ロック部側の端からヒンジ側の端に向けて下方に傾斜をつけて形成されている。これにより、保持すべき長尺体を該受け部上に配置すると、長尺体は自然に受け部上を高い方から低い方へと滑り、保持帯と受け部に当接する場所で止まるため、手前のロック部側に長尺体がたまることがなく、ロック部で長尺体を挟み込まないよう手でどかしたりせずに済むので作業性が良い。
また、複数の線径の異なる配線を保持する場合でも、長尺体を挿入する順序を規制しなくても良いため、作業効率が大変に良い。
さらに、大径の長尺体や複数の長尺体も、保持帯と受け部に当接する場所で止まるので、しっかりと固定して保持することができる。長尺体が何らかの外力によって不用意に引っ張られた場合も、長尺体が長尺体保持具内で動いたりしない。【００１３】  請求項３の発明によれば、本発明にかかる長尺体保持具は、前記保持帯に形成したヒンジの薄肉に形成している部分の長さを、保持帯の長手方向へ長くとって形成されている。このヒンジ部分は、保持すべき長尺体が当接して干渉する部分から適宜屈曲するため、該長尺体保持具内に長尺体を保持した際には、該保持帯は当接する長尺体の外周に添う形状に屈曲し、長尺体を保持帯と受け部にて押圧しながら挟持することが可能である。
長尺体は常に保持帯と受け部双方に当接する場所で止まるため、従来品のような樹脂バネが無くても複数の線径の異なる長尺体を、保持帯と受け部にて押圧しながら挟持することができる。これにより、長尺体がガタついたり動いたりしないので、長尺体が何らかの外力によって不用意に引っ張られた場合も、長尺体が長尺体保持具内で動いたりしない。【００１４】  請求項４の発明によれば、本発明にかかる長尺体保持具は、前記受け部と前記基板の間に貫通した形状に穴を形成しているので、保持すべき長尺体の径が比較的太い場合でも、該受け部が本体素材である樹脂の性質である可撓性により、基板側に向けて多少たわむので、このたわみ分、該長尺体の径の太さを吸収して、長尺体を保持することが可能である。【００１５】  請求項５の発明によれば、本発明にかかる長尺体保持具は、前記受け部の端側を自由端になるよう形成されており、受け部のもう一方の端はロック部と一体に形成されている。これにより、受け部は本体素材の樹脂の性質である可撓性により、基板側に向けて多少たわむので、このたわみ分、該長尺体の径の太さを吸収して、長尺体を保持することが可能である。
【発明を実施するための最良の形態】
【００１６】  以下、本発明を実施するための最良の形態（実施例）を、図面を参照して説明する。
【実施例１】
【００１７】  図１は本発明にかかる長尺体保持具１の実施の一例を示すもので、図２はその平面図、図３は底面図、図４は右側面図、図５は左側面図である。背面図は正面図と左右対称であるため省略する。なお、図４と図５は、本発明の実施例を寸法通りに図示しているのだが、係止凸部５、６部分やヒンジ９、１０部分にはなだらかなアールがついているため、図を見てもわかりづらい。よって、参照のために係止凸部５、６とヒンジ９、１０を誇張して図１５、図１６に示す。【００１８】  図１ないし図５と図１５、図１６に示すように、本実施例の長尺体保持具１は、平らな板状の基板２と、受け部３と、保持帯１１と、ロック部４が一体に形成される。【００１９】  詳しく説明すると、前記、基板２の表面側の一端に、基板２よりヒンジ８を介して延設して形成された保持帯１１が基板２と一体に形成されている。この保持帯１１は配線等の長尺体を包囲して保持する部分であり、一定の周長と幅とを有する帯状のものである。明細書中、この保持帯１１の、平面図にした際に見える側を表面、その反対側（基板２に向かい合う側）を裏面と呼ぶ。この保持帯１１の自由端には係止爪１３が鉤爪状に形成されている。【００２０】  前記保持帯１１は１箇所または複数箇所が他の部分より薄肉になるよう形成されている。本実施例の形状では、帯状の保持帯１１の基板２付近にはヒンジ８が、保持帯１１の裏面側が薄肉になるように形成されている。そして、保持帯１１の自由端付近には略Ｕの字状にカーブ１２が形成され、ヒンジ８とカーブ１２の間にはヒンジ９とヒンジ１０が、保持帯１１の表面側が薄肉になるように形成されている。これらカーブ１２、ヒンジ９、ヒンジ１０の形成箇所や配置の順、断面の厚さは本実施例の形状に限定するものではなく、長尺体保持具１に保持させたい物品の形状やサイズによって適宜変更できる。【００２１】  長尺体保持具１の基板２のもう一方の端には、前記保持帯１１と対向する位置に、基板２から略垂直方向に突出する柱状のロック部４が形成されている。
このロック部４は、保持帯１１の反対側（正面図で見ると右側）に鉤爪状に突出して形成された係止凸部が１つ、または複数設けられている。この係止凸部はそれぞれ、基板２方向へ僅かに傾けて形成される。係止凸部は２つ形成しておくことが望ましく、本実施例ではロック部４の基板２に近い位置に形成されたものを係止凸部６、ロック部４の自由端に近い位置に形成されたものを係止凸部５とする。【００２２】  そして、前記収納部１１とロック部４の間には略平板状の受け部３が形成されている。この受け部３の高さはその長手方向に、ロック部４側が高く、ヒンジ８側へ向かって徐々に低くなるよう傾斜をつけて形成されている。この受け部３の傾斜について、高低の向きや角度は本実施例の形状に限定するものではない。また、保持させたい長尺体の形状によっては受け部３の厚さ（受け部３の長手方向に対し垂直な方向の厚み）を変更しても良いし、受け部３の長尺体と当接し得る部分にアールをつけても構わない。【００２３】  前記の基板２は、図９〜図１４に示したように、基板２の裏面（底面図で見える側）に接着シート１５を貼り付ける、または接着剤を塗布するなどして、各種機器に貼り付けて使用すると良い。また、本実施例の形状に限定せず、図１８、１９に示すようなスナップフィット式の矢じりをつけても良いし、図１７に示すように、基板２に穴１８を開口しておき、ネジやブッシュなどで各種機器に留め付けても構わない。【００２４】  図９は本発明実施例の長尺体保持具１の使用状態、つまり、長尺体１４を保持している状態を表す正面図である。
長尺体１４を受け部３上に配置し、保持帯１１先端にある係止爪１３を、ロック部４から突出した係止凸部６にひっかけて係止させると、保持帯１１、受け部３、ロック部にて囲まれている部分が、長尺体１４を収納するための空間７となる。
このとき、長尺体保持具１の保持帯１１はヒンジ８部分を支点に受け部３側へと傾き、平仮名のくの字状に屈曲するとともに、保持帯１１の裏側が長尺体１４に当接するため、ヒンジ１０が長尺体１４の外周の形状に沿うように受け部３と反対の方向に向けて僅かに屈曲し、カーブ１２は使用していない元の状態（図１）よりも僅かに開いた状態となっている。カーブ１２が本体素材である樹脂の特性である弾性復元力により、元の形状（図１の状態）に戻ろうとする力が働くため、長尺体１４は受け部３と保持帯１１との間（空間７）に、保持帯１１の裏面にて押圧されながらしっかりと挟持される。これにより長尺体１４は、空間７内でガタついたり動いたりすることがない。【００２５】  図１０は本発明実施例の長尺体保持具１の使用状態を表す正面図であり、図９よりも径の大きな長尺体１４を保持している状態を表す正面図である。
長尺体１４を受け部３上に配置し、保持帯１１先端にある係止爪１３を、ロック部４から突出した係止凸部５にひっかけて係止させると、保持帯１１、受け部３、ロック部にて囲まれている部分が、長尺体１４を収納するための空間７となる。係止爪１３を、係止凸部６よりも係止爪１３に近い側にある係止凸部５に係止させたため、空間７は図９の場合より広く確保することが可能となった。
この場合、保持帯１１はヒンジ８部分を支点に受け部３方向に向けて倒れるように屈曲し、長尺体１４に当接する。ヒンジ９部分は屈曲せず、ヒンジ１０部分が長尺体１４の外周の形状に沿って、受け部３と反対の方向に向けてわずかに屈曲し、カーブ１２は使用していない元の状態（図１）よりも僅かに開いた状態となっている。カーブ１２が本体素材である樹脂の特性である弾性復元力により、元の形状（図１の状態）に戻ろうとする力が働くため、長尺体１４は受け部３と保持帯１１との間（空間７）に、保持帯１１の裏面にて押圧されながらしっかりと挟持される。これにより長尺体１４は、空間７内でガタついたり動いたりすることがない。【００２６】  図１１は本発明実施例の長尺体保持具１の使用状態を表す正面図であり、径の大きさの違う複数本の長尺体１６、１７を保持している状態を表す正面図である。長尺体１６、１７を受け部３上に配置し、保持帯１１先端にある係止爪１３を、ロック部４から突出した係止凸部６にひっかけて係止させると、保持帯１１、受け部３、ロック部にて囲まれている部分が、長尺体１４を収納するための空間７となる。
この場合の保持帯１１の状態を説明すると、保持帯１１のヒンジ８は、長尺体１６が保持帯１１と受け部３の間に挟まっているため屈曲せず、ヒンジ９が長尺体１６の外周の形状に沿うように僅かに屈曲し、ヒンジ１０が長尺体１７の外周形状に沿うように僅かに屈曲し、カーブ１２は使用していない元の状態（図１）よりも僅かに開いた状態となっている。カーブ１２が本体素材である樹脂の特性である弾性復元力により、元の形状（図１の状態）に戻ろうとする力が働くため、長尺体１６、１７は受け部３と保持帯１１との間（空間７）に、保持帯１１の裏面にて押圧されながらしっかりと挟持される。これにより長尺体１４は、空間７内でガタついたり動いたりすることがない。【００２７】  図１２は本発明実施例の長尺体保持具１の使用状態を表す正面図であり、径の大きさの違う複数本の長尺体１６、１７を保持している状態を表す正面図である。長尺体１６、１７を受け部３上に配置し、保持帯１１先端にある係止爪１３を、ロック部４から突出した係止凸部６にひっかけて係止させると、保持帯１１、受け部３、ロック部にて囲まれている部分が、長尺体１４を収納するための空間７となる。
この場合の保持帯１１の状態を説明すると、保持帯１１はヒンジ８部分を支点に受け部３方向に向けて倒れるように屈曲し、保持帯１１が長尺体１７に当接するため、保持帯１１のヒンジ９部分は長尺体１７外周の形状に沿うように屈曲し、ヒンジ１０部分も長尺体１６の外周形状に沿うように屈曲し、カーブ１２は使用していない元の状態（図１）よりも僅かに開いた状態となっている。カーブ１２が本体素材である樹脂の特性である弾性復元力により、元の形状（図１の状態）に戻ろうとする力が働くため、長尺体１６、１７は受け部３と保持帯１１との間（空間７）に、保持帯１１の裏面にて押圧されながらしっかりと挟持される。これにより長尺体１６、１７は、空間７内でガタついたり動いたりすることがない。【００２８】  図１３は本発明実施例の長尺体保持具１の使用状態を表す正面図であり、径の大きさの違う複数本の長尺体１６、１７を保持している状態を表す正面図である。長尺体１６、１７を受け部３上に配置し、保持帯１１先端にある係止爪１３を、ロック部４から突出した係止凸部６にひっかけて係止させると、保持帯１１、受け部３、ロック部にて囲まれている部分が、長尺体１４を収納するための空間７となる。
この場合の保持帯１１の状態を説明すると、保持帯１１はヒンジ８部分を支点に受け部３方向へ傾くように僅かに屈曲し、保持帯１１が長尺体１６に当接するため、ヒンジ９部分にて長尺体１６の外周の形状に沿うように僅かに屈曲し、さらに保持帯１１が長尺体１７に当接するため、ヒンジ１０部分にて長尺体１７外周に沿うように僅かに屈曲し、
カーブ１２は使用していない元の状態（図１）よりも僅かに開いた状態となっている。カーブ１２が本体素材である樹脂の特性である弾性復元力により、元の形状（図１の状態）に戻ろうとする力が働くため、長尺体１６、１７は受け部３と保持帯１１との間（空間７）に、保持帯１１の裏面にて押圧されながらしっかりと挟持される。これにより長尺体１６、１７は、空間７内でガタついたり動いたりすることがない。【００２９】  図１４は本発明実施例の長尺体保持具１の使用状態を表す正面図であり、径の大きさの違う複数本の長尺体１７、１６を保持している状態を表す正面図である。長尺体１７、１６を受け部３上に配置し、保持帯１１先端にある係止爪１３を、ロック部４から突出した係止凸部６にひっかけて係止させると、保持帯１１、受け部３、ロック部にて囲まれている部分が、長尺体１４を収納するための空間７となる。
この場合の保持帯１１の状態を説明すると、保持帯１１のヒンジ８は、長尺体１７が保持帯１１と受け部３の間に挟まっているため屈曲せず、ヒンジ９が長尺体１７の外周の形状に沿うように僅かに屈曲し、さらに保持帯１１は長尺体１６にも当接するため、ヒンジ１０が長尺体１６の外周形状に沿うように僅かに屈曲し、カーブ１２は使用していない元の状態（図１）よりも僅かに開いた状態となっている。
カーブ１２が本体素材である樹脂の特性である弾性復元力により、元の形状（図１の状態）に戻ろうとする力が働くため、長尺体１６、１７は受け部３と保持帯１１との間（空間７）に、保持帯１１の裏面にて押圧されながらしっかりと挟持される。これにより長尺体１７、１６は、空間７内でガタついたり動いたりすることがない。
【実施例２】
【００３０】  図８は本発明にかかる長尺体保持具１の、他の実施例を示す斜視図である。この図に示したように、長尺体保持具１の保持帯１１に形成したヒンジ９は、該ヒンジ９の薄肉部分を、保持帯１１の長手方向に長く形成しても良い。【００３１】  上記に記載したように、本発明の長尺体保持具は、保持すべき長尺体の径のサイズや本数に合わせ、ヒンジ８、９、１０がそれぞれ適宜屈曲するとともに、カーブ１２部分が拡開され、カーブ１２が樹脂の特性である弾性復元力により元の形状に戻ろうとする力が働くため、径のサイズがまちまちな複数本の長尺体を保持する場合でも、しっかり保持帯１１と受け部３にて押圧しながら挟持できる構造となっている。
上記保持帯１１の形状、長さは少なくとも２種類の径の長尺体を同時に保持固定可能なサイズを有しているが、その幅と断面形状については特に限定するものではなく、固定すべき長尺体の直径、本数等に合わせて適宜決定することができる。
【実施例３】
【００３２】  図１７は本発明にかかる長尺体保持具１の、また他の実施例を示す斜視図である。この図に示したように、長尺体保持具１の基板２には穴１８を形成し、長尺体保持具１を取り付けたい対象物の板金などにネジやブッシュなどで留めつけても良い。
【実施例４】
【００３３】  図１８は本発明にかかる長尺体保持具１の、また他の実施例を示す斜視図である。この図に示したように、長尺体保持具１の基板２の裏面には、スナップフィット状の矢じり１９や弾性支持片２０を基板２と一体に形成しても良い。矢じり１９や弾性支持片２０の形状や形成位置は図１８に示したものでも良いが、これに限定せず、取り付けたい対象物の形状によって適宜変化させて構わない。さらに、弾性支持片２０の形状だが、図示したように弾性支持片２０の自由端に回転止め２３をつけておき、長尺体保持具１を取り付けたい対象物にあらかじめ回転止め２３と係合する穴を形成しておくと、長尺体保持具１を対象物に取り付けた後は、回転止め２３が穴に係止しているので、長尺体保持具１に何らかの外力がかかって回転してしまうことを防止できる。
【実施例５】
【００３４】  図１９は本発明にかかる長尺体保持具１の、また他の実施例を示す斜視図である。この図に示したように、長尺体保持具１の基板２の裏面には、スナップフィット状の矢じり１９を基板２と一体に形成しても良い。この場合、基板２の裏面側には凸状に支え２１を、基板２と一体に形成しておくことが望ましく、長尺体保持具１を取り付けたい対象物にあらかじめ支え２１と係合する穴を形成しておくと、長尺体保持具１を対象物に取り付けた後は、支え２１が穴に係止しているので、長尺体保持具１に何らかの外力がかかって回転してしまうことを防止できる、
【実施例６】
【００３５】  図２０は本発明にかかる長尺体保持具１の、また他の実施例を示す斜視図である。この図に示したように、長尺体保持具１の受け部３には穴２２が貫通した状態で形成することもできる。これにより、長尺体保持具１に長尺体を保持させる場合、前述した他の実施例のように保持帯１１裏面と受け部３にて長尺体を押圧して保持するのであるが、図２０にて示したように、受け部３には穴２２が貫通して形成されているため、わずかに受け部３が基板２方向へと保持している長尺体に押されてたわむ。受け部３には本体素材の樹脂の特性である弾性復元力により元の形状に戻ろうとする力が働き、長尺体をしっかりと押圧する。このため、径のサイズがまちまちな複数本の長尺体を保持する場合でも、しっかり保持することができ、保持した長尺体が動いたりガタついたりすることが無い。
【実施例７】
【００３６】  図２１は本発明にかかる長尺体保持具１の、また他の実施例を示す斜視図である。この図に示したように、長尺体保持具１の受け部３は、その片端が自由端になるよう、かつ該受け部３のもう一方の端はロック部４と一体に形成することもできる。この際、該受け部３の自由端側とヒンジ８の内側側面との距離は、長尺体を挟み込むことの無いよう、なるべく近くすることが望ましい。また、ヒンジ８側の端（自由端側）が下方になるよう受け部３に傾斜をつけておくことが望ましい。【００３７】  保持帯１１の係止爪１３をロック部４の係止凸部５または６に係止させた際、カーブ１２部分は拡開される方向に力がかかるが、カーブ１２の断面の肉厚が均一になるよう形成すると、カーブ１２は拡開の際に均一に広がるため、拡開方向への力がバランス良くカーブ１２にかかるため、カーブ１２の一部だけに力が集中して、カーブ１２がいきなり折れてしまったりすることがない。【００３８】  本発明の長尺体保持具１は、内部に各種の長尺体を保持させてその外周を包囲する必要上、長尺体の外面に沿うように屈曲変形し、長尺体を開放すれば弾性復元して元の形状に戻るような可撓性を有することが必要である。よって、特に限定はしないが樹脂で形成することが好ましい。
【図面の簡単な説明】
【００３９】
【図１】本発明実施例に係る長尺体保持具を表す正面図である。
【図２】図１に示した長尺体保持具の平面図である。
【図３】図１に示した長尺体保持具の底面図である。
【図４】図１に示した長尺体保持具の右側面図である。
【図５】図１に示した長尺体保持具の左側面図である。
【図６】本発明実施例に係る長尺体保持具を表す正面図である。
【図７】図６のＡ−Ａ矢視断面図である。
【図８】本発明に係る長尺体保持具の、他の実施例（実施例２）を表す斜視図である。
【図９】本発明実施例に係る長尺体保持具の使用状態を表す正面図である。
【図１０】本発明実施例に係る長尺体保持具の使用状態を表す正面図である。
【図１１】本発明実施例に係る長尺体保持具の使用状態を表す正面図である。
【図１２】本発明実施例に係る長尺体保持具の使用状態を表す正面図である。
【図１３】本発明実施例に係る長尺体保持具の使用状態を表す正面図である。
【図１４】本発明実施例に係る長尺体保持具の使用状態を表す正面図である。
【図１５】図１に示した長尺体保持具の右側面図である。
【図１６】図１に示した長尺体保持具の左側面図である。
【図１７】本発明に係る長尺体保持具の、他の実施例（実施例３）を表す平面図である。
【図１８】本発明に係る長尺体保持具の、他の実施例（実施例４）を表す正面図である。
【図１９】本発明に係る長尺体保持具の、他の実施例（実施例５）を表す正面図である。
【図２０】本発明に係る長尺体保持具の、他の実施例（実施例６）を表す正面図である。
【図２１】本発明に係る長尺体保持具の、他の実施例（実施例７）を表す正面図である。
【符号の説明】
【００４０】１    長尺体保持具
２    基板
３    受け部
４    ロック部
５    係止凸部
６    係止凸部
７    空間（長尺体収納部）
８    ヒンジ
９    ヒンジ
１０  ヒンジ
１１  保持帯
１２  カーブ
１３  係止爪
１４  長尺体
１５  接着部
１６  長尺体
１７  長尺体
１８  穴
１９  矢じり
２０  弾性支持片
２１  支え
２２  穴
２３  回転止め
【図１】
2010019409.tif 000003
【図２】
2010019409.tif 000004
【図３】
2010019409.tif 000005
【図４】
2010019409.tif 000006
【図５】
2010019409.tif 000007
【図６】
2010019409.tif 000008
【図７】
2010019409.tif 000009
【図８】
2010019409.tif 000010
【図９】
2010019409.tif 000011
【図１０】
2010019409.tif 000012
【図１１】
2010019409.tif 000013
【図１２】
2010019409.tif 000014
【図１３】
2010019409.tif 000015
【図１４】
2010019409.tif 000016
【図１５】
2010019409.tif 000017
【図１６】
2010019409.tif 000018
【図１７】
2010019409.tif 000019
【図１８】
2010019409.tif 000020
【図１９】
2010019409.tif 000021
【図２０】
2010019409.tif 000022
【図２１】
2010019409.tif 000023